【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
第１種類のアプリケーションから描画出力に応じて第１種類のプリンタドライバが処理可能な第１印刷情報に変換するための第１描画変換部と、第２種類のアプリケーションからの描画出力に応じて第２種類のプリンタドライバが処理可能な第２印刷情報に変換するための第２描画変換部とが動作するコンピュータにより実行されるプログラムであって、
出力先として呼び出されたプリンタドライバの種類と出力元のアプリケーションの種類とに基づいて、前記第１種類のアプリケーションと前記第１種類のプリンタドライバとの組み合わせ、または前記第２種類のアプリケーションと前記第２種類のプリンタドライバとの組み合わせになっているか判定する判定手段と、
前記判定手段により前記組み合わせのいずれにもなっていないと判定された場合に、前記出力元のアプリケーションが使用するプリンタドライバの識別名を、前記組み合わせを満たすプリンタドライバの識別名に変更する変更手段と
してコンピュータを機能させるためのプログラム。
【請求項２】
前記変更手段は、前記アプリケーションが前記出力先のプリンタドライバに対して送信した初期化命令に応じて生成したプリンタドライバの名称であるドライバハンドルを、前記組み合わせを満たすプリンタドライバのドライバハンドルに変更することを特徴とする請求項１に記載のプログラム。
【請求項３】
利用者により入力される印刷設定を、印刷設定情報として保存する印刷設定保存手段としてコンピュータを更に機能させ、
前記変更手段は、前記印刷設定情報に含まれるプリンタドライバの識別名を、前記組み合わせを満たすプリンタドライバの識別名に変更することを特徴とする請求項１に記載のプログラム。
【請求項４】
オペレーティングシステムによる管理の下で、第１種類のアプリケーションから描画出力に応じて第１種類のプリンタドライバが処理可能な第１印刷情報に変換するための第１描画変換部と、第２種類のアプリケーションからの描画出力に応じて第２種類のプリンタドライバが処理可能な第２印刷情報に変換するための第２描画変換部とが動作し、
前記オペレーティングシステムは、プリンタドライバの属性を参照して、参照した属性値に応じた種類のプリンタドライバにより処理可能な印刷情報へ、必要に応じて前記描画出力を変換するコンピュータにより実行されるプログラムであって、
出力先として呼び出されたプリンタドライバの種類と出力元のアプリケーションの種類とに基づいて、前記第１種類のアプリケーションと前記第１種類のプリンタドライバとの組み合わせ、または前記第２種類のアプリケーションと前記第２種類のプリンタドライバとの組み合わせになっているか判定する判定手段と、
前記判定手段により前記組み合わせのいずれにもなっていないと判定された場合に、前記オペレーティングシステムが参照するプリンタドライバの属性を、前記組み合わせを満たすプリンタドライバの属性値に変更する変更手段と
してコンピュータを機能させるためのプログラム。
【請求項５】
第１種類のアプリケーションから描画出力に応じて第１種類のプリンタドライバが処理可能な第１印刷情報に変換するための第１描画変換部と、第２種類のアプリケーションからの描画出力に応じて第２種類のプリンタドライバが処理可能な第２印刷情報に変換するための第２描画変換部とが動作する情報処理装置であって、
出力先として呼び出されたプリンタドライバの種類と出力元のアプリケーションの種類とに基づいて、前記第１種類のアプリケーションと前記第１種類のプリンタドライバとの組み合わせ、または前記第２種類のアプリケーションと前記第２種類のプリンタドライバとの組み合わせになっているか判定する判定手段と、
前記判定手段により前記組み合わせのいずれにもなっていないと判定された場合に、前記出力元のアプリケーションが使用するプリンタドライバの識別名を、前記組み合わせを満たすプリンタドライバの識別名に変更する変更手段と
を備えることを特徴とする情報処理装置。
【請求項６】
前記変更手段は、前記アプリケーションが前記出力先のプリンタドライバに対して送信した初期化命令に応じて生成したプリンタドライバの名称であるドライバハンドルを、前記組み合わせを満たすプリンタドライバのドライバハンドルに変更することを特徴とする請求項５に記載の情報処理装置。
【請求項７】
利用者により入力される印刷設定を、印刷設定情報として保存する印刷設定保存手段を更に備え、
前記変更手段は、前記印刷設定情報に含まれるプリンタドライバの識別名を、前記組み合わせを満たすプリンタドライバの識別名に変更することを特徴とする請求項５に記載の情報処理装置。
【請求項８】
オペレーティングシステムによる管理の下で、第１種類のアプリケーションから描画出力に応じて第１種類のプリンタドライバが処理可能な第１印刷情報に変換するための第１描画変換部と、第２種類のアプリケーションからの描画出力に応じて第２種類のプリンタドライバが処理可能な第２印刷情報に変換するための第２描画変換部とが動作し、
前記オペレーティングシステムは、プリンタドライバの属性を参照して、参照した属性値に応じた種類のプリンタドライバにより処理可能な印刷情報へ、必要に応じて前記描画出力を変換する情報処理装置であって、
出力先として呼び出されたプリンタドライバの種類と出力元のアプリケーションの種類とに基づいて、前記第１種類のアプリケーションと前記第１種類のプリンタドライバとの組み合わせ、または前記第２種類のアプリケーションと前記第２種類のプリンタドライバとの組み合わせになっているか判定する判定手段と、
前記判定手段により前記組み合わせのいずれにもなっていないと判定された場合に、前記オペレーティングシステムが参照するプリンタドライバの属性を、前記組み合わせを満たすプリンタドライバの属性値に変更する変更手段と
を備えることを特徴とする情報処理装置。
【請求項９】
第１種類のアプリケーションから描画出力に応じて第１種類のプリンタドライバが処理可能な第１印刷情報に変換するための第１描画変換部と、第２種類のアプリケーションからの描画出力に応じて第２種類のプリンタドライバが処理可能な第２印刷情報に変換するための第２描画変換部とが動作する情報処理装置におけるプリンタドライバ変更方法であって、
出力先として呼び出されたプリンタドライバの種類と出力元のアプリケーションの種類とに基づいて、前記第１種類のアプリケーションと前記第１種類のプリンタドライバとの組み合わせ、または前記第２種類のアプリケーションと前記第２種類のプリンタドライバとの組み合わせになっているか、判定手段が判定する判定工程と、
前記判定工程により前記組み合わせのいずれにもなっていないと判定された場合に、前記出力元のアプリケーションが使用するプリンタドライバの識別名を、前記組み合わせを満たすプリンタドライバの識別名に、変更手段が変更する変更工程と
を備えることを特徴とするプリンタドライバ変更方法。
【請求項１０】
前記変更工程は、前記アプリケーションが前記出力先のプリンタドライバに対して送信した初期化命令に応じて生成したプリンタドライバの名称であるドライバハンドルを、前記組み合わせを満たすプリンタドライバのドライバハンドルに変更することを特徴とする請求項９に記載のプリンタドライバ変更方法。
【請求項１１】
印刷設定保存手段が、利用者により入力される印刷設定を印刷設定情報として保存する印刷設定保存工程を更に備え、
前記変更工程では、前記印刷設定情報に含まれるプリンタドライバの識別名を、前記組み合わせを満たすプリンタドライバの識別名に変更することを特徴とする請求項９に記載のプリンタドライバ変更方法。
【請求項１２】
オペレーティングシステムによる管理の下で、第１種類のアプリケーションから描画出力に応じて第１種類のプリンタドライバが処理可能な第１印刷情報に変換するための第１描画変換部と、第２種類のアプリケーションからの描画出力に応じて第２種類のプリンタドライバが処理可能な第２印刷情報に変換するための第２描画変換部とが動作し、
前記オペレーティングシステムは、プリンタドライバの属性を参照して、参照した属性値に応じた種類のプリンタドライバにより処理可能な印刷情報へ、必要に応じて前記描画出力を変換する情報処理装置におけるプリンタドライバ変更方法であって、
出力先として呼び出されたプリンタドライバの種類と出力元のアプリケーションの種類とに基づいて、前記第１種類のアプリケーションと前記第１種類のプリンタドライバとの組み合わせ、または前記第２種類のアプリケーションと前記第２種類のプリンタドライバとの組み合わせになっているか、判定手段が判定する判定工程と、
前記判定工程により前記組み合わせのいずれにもなっていないと判定された場合に、前記オペレーティングシステムが参照するプリンタドライバの属性を、前記組み合わせを満たすプリンタドライバの属性値に、変更手段が変更する変更工程と
を備えることを特徴とするプリンタドライバ変更方法。